(57)【要約】【課題】包装コスト及び廃材処理費用を低減できるとともに、安定した積載状態を得ることができて、包装状態も損なわれ難い包装体を提供することにある。【解決手段】照明器具１を被包した１枚の厚紙で形成される包装材３が、第１〜第５の包装部２１〜２５を有する。平板状の包装部２１は、周部を器具１の器具本体１１のフランジ１１ｆに接して本体１１の開口を覆っている。第２包装部２２は包装部２１の平行な２辺から折れ曲って本体１１の端壁１１ｂ及びこれに沿ったフランジ部分ｆ２を覆っている。第３包装部２３は包装部２２から折れ曲って本体１１の閉鎖壁１１ｃの端壁寄り部分を覆って平面視台形状をなす。第４包装部２４は包装部２１の他の２辺から折れ曲って本体１１の側壁１１ａ及びこれに沿ったフランジ部分ｆ１を覆っている。第５包装部２５は包装部２３の斜状の両側縁２３ａから側壁１１ａに対し斜めとなるように折れ曲って包装部２４の端壁寄り部分を覆っている。【選択図】    図３
2004359264.tif 000002
【特許請求の範囲】
【請求項１】
両側壁、両端壁、及びこれらの壁が作る四角な枠の厚み方向一端を閉じる平らな閉鎖壁を有して、前記枠の厚み方向他端が開口された箱形をなすとともに、前記両側壁及び両端壁から張り出して前記開口の周囲に設けられたフランジを有する被包物と、
１枚の厚紙で形成され、周部を前記フランジに接して前記開口を覆った四角形状の第１包装部、この第１包装部の互いに平行な２辺から折り曲げられて前記端壁及びこの端壁に沿ったフランジ部分を覆った一対の第２包装部、これら第２包装部から折り曲げられて前記閉鎖壁の前記端壁寄り部分を覆った平面視台形状をなす一対の第３包装部、前記第１包装部の互いに平行な他の２辺から折り曲げられて前記側壁及びこの側壁に沿ったフランジ部分を覆った一対の第４包装部、及び前記両第３包装部の斜状をなす両側縁から夫々前記側壁に対して斜めとなるように折り曲げられて前記第４包装部の前記端壁寄り部分を覆った第５包装部を有して、前記被包物を被包した包装材と、
この包装材を組立て状態に保持する結合部材と、
を具備したことを特徴とする包装体。
【請求項２】
前記包装材が、前記側壁の前記端壁寄り部分を覆った第６包装部を有し、この第６包装部の縁部が前記側壁に沿ったフランジ部分の内側に保持されていることを特徴とする請求項１に記載の包装体。
【発明の詳細な説明】
【０００１】
【発明の属する技術分野】本発明は、保管又は輸送される被包物例えば埋め込み形の照明器具とこれを被包した１枚の包装材との結合体からなる包装体に関する。
【０００２】
【従来の技術】例えば照明器具の商取引では、照明器具のみが取引されることはなく、照明器具の保管及び輸送の利便性及び輸送時の保護等を図るために、照明器具を段ボール等の包装材で被包してなる包装体として商取引されるのが通例である。
【０００３】
この包装体として、１枚の段ボールからなる包装材で直方体状の箱を組立て、その内部に照明器具を収容するものが知られている（例えば特許文献１参照。）。
【０００４】
この特許文献１では、照明器具を被包して直方体状の箱に組立てられる包装材が、底面部と、この両端に形成した端部緩衝体と、底面部の両側に設けた側面部及びこれに連なる上部フラップ部とを備えている。端部緩衝体は、底面部の両端に夫々四角筒状に折り曲げられる端部筒状体と、これらの筒状体の両端に折り曲げられた三角形状の保持部とからなる。４箇所の保持部は、照明器具に加わる荷重を緩衝するように照明器具の端部コーナ部に当たってこの照明器具を位置決めしている。長手方向に沿う荷重は、端部緩衝体と照明器具との間に形成された緩衝空間で吸収し、左右方向に沿う荷重は、保持部内の三角形状の緩衝空間で吸収し、そして、上下方向の荷重は端部緩衝体と三角形状の保持部の高さによって支えている。
【０００５】
【特許文献１】
特開平１０−１８１７３７号公報（段落００２０−００３４、図１−図７）
【０００６】
【発明が解決しようとする課題】
特許文献１のものは、直方体状に作られた箱によって照明器具を被包し、かつ、緩衝空間などを設けて荷重に耐えるようになっているので、包装材が１枚であるとは言え、その使用量が多い。このため、包装体のコスト高を招いているとともに、開梱後に廃材となる包装材を廃棄する際の処理費用も高くかかっている。
【０００７】
一方、包装体は、その荷扱い等に伴って包装状態が損なわれないように配慮する必要があるとともに、積み重ねられる場合に、その積載状態が安定して荷崩れなどが起こらないように配慮することも望まれている。
【０００８】
本発明が解決しようとする課題は、包装コスト及び廃材処理費用を低減できるとともに、安定した積載状態を得ることができて、かつ、包装状態も損なわれ難い包装体を提供することにある。
【０００９】
【課題を解決するための手段】前記課題を解決するために、本発明は、両側壁、両端壁、及びこれらの壁が作る四角な枠の厚み方向一端を閉じる平らな閉鎖壁を有して、前記枠の厚み方向他端が開口された箱形をなすとともに、前記両側壁及び両端壁から張り出して前記開口の周囲に設けられたフランジを有する被包物と、この被包物を被包した包装材と、前記包装材を組立て状態に保持する結合部材とを具備する。
【００１０】
そして、１枚の厚紙で形成される包装材が、
周部を前記フランジに接して前記開口を覆った四角形状の第１包装部、
この第１包装部の互いに平行な２辺から折り曲げられて前記端壁及びこの端壁に沿ったフランジ部分を覆った一対の第２包装部、
これら第２包装部から折り曲げられて前記閉鎖壁の前記端壁寄り部分を覆った平面視台形状をなす一対の第３包装部、
前記第１包装部の互いに平行な他の２辺から折り曲げられて前記側壁及びこの側壁に沿ったフランジ部分を覆った一対の第４包装部、及び
前記両第３包装部の斜状をなす両側縁から夫々前記側壁に対して斜めとなるように折り曲げられて前記第４包装部の前記端壁寄り部分を覆った第５包装部を有していることを特徴としている。
【００１１】
本発明において、被包物とは包装材によって被包されて保管又は輸送される物品、例えば照明器具等を指し、包装材とは厚紙好適には段ボール等の包装素材により形成されて被包物を包装するものを指し、又、包装体とは被包物と包装材とを結合部材で結合して形成され商取引される物品を指している。
【００１２】
本発明の包装体は、被包物の厚み方向に作用する外力を、被包物のフランジに接している第１包装部、及び被包物の閉鎖壁に接している第３包装部を介して被包物で直接的に支持する。被包物の両端壁を結ぶ方向に作用する外力を、これら両端壁を覆って端壁に沿ったフランジ部分に接している第２包装部を介して、被包物で直接的に支持する。更に、被包物の両側壁を結ぶ方向に作用する外力を、これら両側壁を覆って側壁に沿ったフランジ部分に接している第４包装部及びこの第４包装部の一部を覆っている第５包装部を介して、被包物で直接的に支持する。
【００１３】
このように被包物を利用して包装材に強度を持たせたことにより、１枚の厚紙からなる包装材の内側に緩衝材や緩衝空間を要しない。これにより、包装材の内側に緩衝空間や緩衝材を設けることを考慮して包装材を大きくする必要がないとともに、包装材は被包物の閉鎖壁の両端部間を、覆っておらず、露出させた状態に被包物を被包しているので、包装材の使用量を削減可能である。
【００１４】
この包装体は被包物の閉鎖壁とこれに対向する開口とが上下に配置される適正な姿勢で積み重ねることができる。この場合には、既述のように被包物の強度によって積載荷重を直接的に支持できるとともに、積み重ね状態を安定なものとできる。
【００１５】
そうであるにもかかわらず、この包装体は、その被包物の両側壁が上下に配置される姿勢で誤って積み重ねられようとする可能性がある。しかし、包装材の平面視台形状をなしている第３包装部の斜め状両側縁から折り曲げられた第５包装部は、被包物の側壁に対して斜めとなるように設けられている。このため、前記のように誤った姿勢で積み上げようとした場合には、斜めの第５包装部によって一つ一つの包装体が倒れ易い不安定な状態となるから、こうした積み方が誤りであることを容易に認識可能で、直ちに積み方の修正を促すことができる。
【００１６】
更に、包装材は、被包物の両側壁を覆っている第４包装部の端壁寄り部分が第５包装部で覆われた状態で、結合部材によって組立てられているので、荷扱い等に伴い第４包装部が被包物の側壁から大きく離れて開くことを第５包装部によって抑制可能である。
【００１７】
本発明の好ましい実施の形態では、前記包装材が、前記側壁の前記端壁寄り部分を覆った第６包装部を有し、この第６包装部の縁部が前記側壁に沿ったフランジ部分の内側に保持されていることを特徴としている。
【００１８】
この発明では、第６包装部によって、被包物がその両側壁を結ぶ方向に動くことを抑制し易いとともに、被包物の端部寄り部分に作用する外力に対する緩衝作用を高めることが可能である。
【００１９】
【発明の実施の形態】以下、図１〜図６を参照して本発明の一実施形態を説明する。
【００２０】
図２に示す包装体１は、被包物として例示した埋め込み形照明器具２と、１枚の包装材３と、この包装材３を組立状態に保持する結合部材として例示した粘着テープ４とを具備している。
【００２１】
図１に示すように照明器具２は、例えば縦横の長さが異なる板金製の器具本体１１と、この本体１１に収容された板金製反射板１２と、この反射板１２と対向して器具本体１１の正面部に取付けられた制光体１３とを具備している。
【００２２】
図１及び図４に示すように器具本体１１は、一対の側壁１１ａと、これら側壁１１ａの長手方向両端間をつないだ一対の端壁１１ｂと、閉鎖壁として機能する水平状の上壁１１ｃと、フランジ１１ｆとを有している。両側壁１１ａと両端壁１１ｂとは四角形状の枠を形成し、この枠の厚み方向の一端である上端は上壁１１ｃで塞がれている。このため、四角枠の厚み方向他端である器具本体１１の下面は開口されている。
【００２３】
この下面開口の周囲にフランジ１１ｆが平面視四角枠状に連続して設けられている。図１で代表するようにフランジ１１ｆは、両側壁１１ａ及び両端壁１１ｂの開口端から水平状に張り出した第１部位１１ｆｘと、この第１部位１１ｆｘから直角上向きに折れ曲げられた第２部位１１ｆｙとを有して形成されている。このフランジ１１ｆと前記枠の開口縁部との間には上方に開放する溝が形成されている。なお、側壁１１ａに沿って延びるフランジ１１ｆの部分を第１フランジ部分ｆ１と称し、端壁１１ｂに沿って延びるフランジ１１ｆの部分を第２フランジ部分ｆ２と称する。
【００２４】
器具本体１１には放電灯安定器及び端子台等（いずれも図示しない）が内蔵されている。なお、器具本体１１の両側壁１１ａは、いずれも垂直状で互いにほぼ平行に設けられているが、これに代えて、下端開口から上壁（閉鎖壁）１１ｃに向かうに従い相互間の幅が次第に狭くなるように傾斜していてもよい。
【００２５】
反射板１２は器具本体１１内に固定されている。この反射板１２の内側には、図示しない直管型蛍光ランプの口金部が支持されるランプソケット１４（図１参照）が取付けられている。ランプソケット１４は前記放電灯安定器や端子台等に器具内配線を介して電気的に接続されている。なお、蛍光ランプは、包装体１とは別に梱包されて、前記照明器具２の取付け施工現場に包装体１とともに搬入される。
【００２６】
制光体１３には、四角枠形状に成形された制光体枠１３ａと、この枠１３ａ内に配置された多数枚の互いに平行な制光板１３ｂ（１枚のみ図１に図示）とを備えたバッフルが使用されている。制光体１３は、その制光体枠１３ａに取付けられた複数のフック１３ｃを、器具本体１１に形成された図示しない係止孔に引掛けることにより、図１に示すように器具本体１１内にその下面開口から突出しないように取付けられている。制光体枠１３ａは器具本体１１に着脱でき、それにより、蛍光ランプの交換などを可能としている。
【００２７】
前記照明器具２は、図１に示した姿勢で室内の天井に埋め込み設置して使用される。この設置において、器具本体１１は天井の器具取付け孔を通って天井の裏側に配置され、フランジ１１ｆは天井板に接して配置される。
【００２８】
包装材３は、１枚の厚紙例えば優れた緩衝機能がある段ボールで形成されている。段ボールには両面段ボール等を好適に使用できる。なお、図４中符号Ｗで示した部分は段ボールの段頂が延びる方向を示している。
【００２９】
図２〜図４等に示すように包装材３は、第１包装部２１、一対の第２包装部２２、一対の第３包装部２３、一対の第４包装部２４、二組の第５包装部２５、及び二組の第６包装部２６とを有している。
【００３０】
第１包装部２１は、単一であって、器具本体１１を平面的に見たときの投影形状に合致した四角例えば長四角な平板をなしている。第１包装部２１は、その周部をフランジ１１ｆの第１部位１１ｆｘに接して器具本体１１の下面開口を覆って水平状に設けられる。
【００３１】
一対の第２包装部２２は、第１包装部２１の互いに平行な２辺、具体的には第１包装部２１の長手方向の両辺に折り目線３１を介して個別に連続されている。これら第２包装部２２は折り目線３１を用いて第１包装部２１に対して略直角に折り曲げられる。
【００３２】
一対の第３包装部２３は、第２包装部２２を間に置いて第１包装部２１と反対側に位置して、かつ、折り目線３１と平行な折り目線３２を介して第２包装部２２に個別に連続されている。これら第３包装部２３は折り目線３２を用いて第２包装部２２に対して略直角に折り曲げられる。
【００３３】
一対の第４包装部２４は、第１包装部２１の他の互いに平行な２辺、具体的には第１包装部２１の長手方向に延びる両辺に折り目線３３を介して個別に連続されている。これら第４包装部２４は折り目線３３を用いて第１包装部２１に対して略直角に折り曲げられる。図３（Ｃ）に示すように各第４包装部２４の幅Ａは器具本体１１の厚みＢより短い。
【００３４】
各第５包装部２５は夫々第３包装部２３の両側縁２３ａとなる位置に設けた折り目線３４を介して個別に連続されている。これら第５包装部２５は折り目線３４を用いて第３包装部２３に対して折り曲げられる。図３（Ｃ）に示すように各第５包装部２５は器具本体１１の厚みＢとほぼ同じ長さＣを有している。
【００３５】
図４に示すように第３包装部２３の両側縁２３ａをなす折り目線３４は、折り目線３３から遠ざかる程相互間隔が次第に狭まるように斜状に設けられている。これにより、第３包装部２３は図２及び図３（Ａ）に示すように平面視等辺台形状をなしている。図３（Ａ）に示すように第３包装部２３の下辺２３ｂの長さは器具本体１１の最大幅Ｄに略等しく、第３包装部２３の上辺２３ｃの長さは器具本体１１の上壁１１ｃの幅Ｅに略等しく形成されている。
【００３６】
各第６包装部２６は夫々第２包装部２２の両側縁となる位置に設けた折り目線３５を介して個別に連続されている。これら第６包装部２６は折り目線３５を用いて第２包装部２２に対して略直角に折り曲げられる。各第６包装部２６は、図３（Ａ）（Ｂ）に示すように第３包装部２３の２３ｂと上辺２３ｃとの間にわたる長さＦより長く形成されているとともに、その上下方向の幅は図３（Ｃ）に示すように器具本体１１の厚みＧと略等しく形成されている。これらの第６包装部２６の使用状態では、前記段頂は上下方向（積載荷重方向）に延びるようになっている。図４及び図５に示すように各第６包装部２６の根元部分には前記第２フランジ部分ｆ２の第２部位１１ｆｙを乗り越えるための逃げ例えば切り欠き３６が夫々設けられている。
【００３７】
以上の構成の包装材３と照明器具２とは以下のように組合わされる。まず、図４に示す平板状態の包装材３の第１包装部２１上に、照明器具２を位置合わせして載置する。これにより、器具本体１１の下面開口が第１包装部２１で覆われる。なお、この場合、照明器具２は図示しない防塵及び擦り傷防止用の保護袋に収められているものであり、この保護袋には、薄く、かつ、半透明で柔軟な袋が用いられる。
【００３８】
次に、折り目線３１を用いて包装材３の長手方向両端に位置している第２包装部２２を夫々上向きに折り曲げて、これら第２包装部２２が器具本体１１の端壁１１ｂ及びこれに沿った第２フランジ部分ｆ２を覆うようにする。
【００３９】
引続き、図５に示すように各第２包装部２２の両側に連続している第６包装部２６を、折り目線３５を用いて器具本体１１側に向けて折り曲げて、これら第６包装部２６が側壁１１ａにおける端壁１１ｂ寄り部分の外面に沿うようにする。この場合、第６包装部２６の下縁部とフランジ１１ｆの第２フランジ部分ｆ２とが干渉することは切り欠き３６によって妨げられる。このため、折り曲げられた第６包装部２６の下縁部は、第１フランジ部分ｆ１の内側の溝内に入り込んで保持される。つまり、折り目線３５に相当する折り目を中心にして第６包装部２６が、器具本体１１の側壁１１ａから離れるように外側に広がることを防止できる。
【００４０】
この後、第１包装部２１の両側に連続している第４包装部２４を夫々折り目線３３を用いて上向きに折り曲げて、これら第４包装部２４が側壁１１ａ及びこれに沿った第１フランジ部分ｆ１を覆うようにする。この場合、第４包装部２４はその幅が器具本体１１の厚みより短い（例えば厚みの略半分程度である）ので、折り曲げられた第４包装部２４によって器具本体１１の側壁１１ａの少なくとも下部側が覆われるようになる。
【００４１】
この第４包装部２４の折り曲げ後又はそれ以前に、一対の第２包装部２２に連続している第３包装部２３を、夫々折り目線３２を用いて水平状に折り曲げて、これら第３包装部２３が器具本体壁１１の上壁１１ｃにおける端壁１１ｂ寄り部分の外面に被さるようにする。この状態で、第１包装部２１の長手方向の端部と第３包装部２３との間に、器具本体１１の長手方向の端部が上下から挟まれるように包まれる。
【００４２】
次に、第３包装部２３の両側に連続している第５包装部２５を夫々斜状の折り目線３４を用いて下向きに折り曲げる。これにより、第３包装部２３が平面視台形状になる。これとともに、第５包装部２５が、器具本体壁１１の側壁１１ａにおける端壁１１ｂ寄り部分の外面に対して斜めとなるように配置されて、第４包装部２５の端壁１１ｂ寄り部分の外面を覆って設けられる。この第５包装部２５と側壁１１ａにおける端壁１１ｂ寄り部分との間には第６包装部２６が通されている。この第６包装部２６の上縁は折り目線３４に相当する折り目の内側に接しており、第６包装部２６の下縁は第１フランジ部分ｆ１の第１部位１１ｆｘに接して、第３包装部２３を上下方向（積載荷重方向）に支持している。
【００４３】
最後に、以上の手順で組立てられて照明器具２を被包した包装材３に粘着テープ４を貼り付けて、包装体１を組立てる。粘着テープ４は、図２に示すように第５包装部２５と第１包装部２１とにわたって貼り付けられている。これに代えて、粘着テープ４を第５包装部２５と第４包装部２４とにわたって貼り付けてもよい。以上のように組立てられた包装体１を図２及び図３に示す。
【００４４】
前記構成の包装体１は、照明器具２の器具本体１１の厚み方向に沿って上下に作用する外力を、器具本体１１のフランジ１１ｆに下方から面接触している第１包装部２１、及び器具本体１１の上壁１１ｃに上方から面接触している第３包装部２５を介して、器具本体１１の機械的強度で直接的に支持できる。
【００４５】
包装体１は、器具本体１１の両端壁１１ｂを結ぶ方向に沿って作用する外力を、これら両端壁１１ｂを覆って端壁１１ｂに沿った第２フランジ部分ｆ２に接している第２包装部２２を介して、器具本体１１の機械的強度で直接的に支持できる。
【００４６】
包装体１は、器具本体１１の両側壁１１ａを結ぶ方向に沿って作用する外力を、これら両側壁１１ａを覆って側壁１１ａに沿った第１フランジ部分ｆ１に接している第４包装部２４及びこの第４包装部２４の端部を覆っている第５包装部２５を介して、器具本体１１の機械的強度で直接的に支持できる。
【００４７】
このように被包される照明器具２を利用して包装材３に強度を持たせたことにより、１枚の厚紙からなる包装材３を箱型にしてその内側に緩衝材や緩衝空間を設けることを要しない。これにより、包装材３の内側に緩衝空間や緩衝材を設けることを考慮して包装材３を大きくする必要がないので、包装材３の使用量を削減可能である。加えて、包装材３は器具本体１１の長手方向両端部を主として覆っており、器具本体１１の上壁１１ｃの多くは第３包装部２３間に露出された状態にある。しかも、器具本体１１の側壁１１ａの上部も第４包装部２４では覆われておらず、露出された状態にある。このように照明器具２の長手方向中間部を多く露出させて、この器具２が包装材３で被包されているので、この点でも包装材３の使用量を削減可能である。したがって、以上のように包装材３の使用量が少なくて済むことにより、包装コスト及び開梱後に廃材となる包装材３の廃棄処理費用を低減できる。
【００４８】
前記構成の包装体１は、器具本体１１の上壁１１ｃとこれに対向する下面開口とが上下に配置される適正な姿勢で積み重ねることができる。この状態を図６（Ａ）に示す。この場合には、既述のように器具本体１１の機械的強度によって積載荷重を直接的に支持でき、器具本体１１の上壁１１ｃが水平であるとともに、水平なフランジ１１ｆの幅が上壁１１ｃよりも広いので、積み重ね状態を安定なものとでき、荷崩れを起こす恐れを抑制できる。
【００４９】
包装体１はその器具本体１１の両側壁１１ａが上下に配置される姿勢で誤って積み重ねられようとする可能性がある。この積み重ね状態を図６（Ｂ）に示す。この場合には、第３包装部２３の斜め状両側縁２３ａから折り曲げられている第５包装部２５が、上下に配置される。しかし、これら第５包装部２５は器具本体１１の側壁１１ａに対して斜めになっているとともに、その支持面積が小さいので、これらの第５包装部２５によって一つ一つの包装体１が倒れ易い不安定な状態となる。したがって、図６（Ｂ）に示す積み方が誤りであることを容易に認識させ、それに基づいて直ちに積み方の修正を促すことができるので、この修正により図６（Ａ）に示す適正な積載状態とすることが可能である。
【００５０】
前記構成の包装体１では、第５包装部２５が、器具本体１１の側壁１１ａの少なくとも下部を覆っている第４包装部２４の端壁寄り部分を覆っていて、この第５包装部２５が第１包装部２１に粘着テープ４で止められている。このため、荷扱い等において、第４包装部２４が第１包装部２１との境をなす折り目を中心に側壁１１ａから大きく離れる方向に開くことを、第５包装部２５で抑制可能である。したがって、包装体１の堅牢な組立て状態が維持されて、照明器具２が包装材３内でがたつかないようにすることが可能である。
【００５１】
しかも、第４包装部２４の上縁は器具本体１１の露出している上壁１１ｃより下がった位置に設けられている。このため、例えば、複数の包装体１が井桁状に組まれて積み重ねられている状態、或いは、物流過程で他の包装箱と混在して積み重ねられた状態で、上位置の包装体１や他の包装箱が下位置の包装体１の上面を引き摺るように荷扱いされる場合に、下位置の包装体１の第４包装部２４が、上位置の包装体１や他の包装箱によって引き摺られることがない。
【００５２】
したがって、荷扱い等において、第４包装部２４が、第１包装部２１との境をなす折り目を中心に側壁１１ａから大きく離れる方向に開くことが防止されて、粘着テープ４の剥れや緩みを招き難い。これにより、包装体１の堅牢な組立て状態が維持されて、照明器具２が包装材３内でがたつかないようにすることが可能である。
【００５３】
又、荷扱い等において、第４包装部２４の上縁が側壁１１ａから離れるように何らかに理由で引張られた場合にも、その力が粘着テープ４を直接的に剥がすように作用することが抑制される。つまり、第４包装部２４が側壁１１ａから離れる方向に開くには、第５包装部２５も同時に開く必要がある。しかし、第５包装部２５の上端は第３包装部２４に一体に連続していて、第５包装部２５の下部は粘着テープ４で第１包装部２１に貼り付けられているので、第５包装部２５を無理やり開こうとする力が必要となる。したがって、粘着テープ４にこれを剥がそうとする力が集中することがない。
【００５４】
前記構成の包装体１の包装材３は、器具本体１１の側壁１１ａの端壁寄り部分を覆った第６包装部２６を有していて、この第６包装部２６の下縁部は側壁１１ａに沿った第１フランジ部分ｆ１の内側に挿入されて、それ以上広がらないように設けられている。このため、この第６包装部２６と第２包装部２２との境をなす折り目の内面で、器具本体１１の側壁１１ａと端壁１１ｂとがなす角部を支持して、器具本体１１がその両側壁１１ａを結ぶ方向に動くことを抑制し易くできる。その上、側壁１１ａの端壁１１ｂ寄り部分が、互いに重なるように配置されている第６包装部２６と、第４包装部２４の端部と、第５包装部２５とで覆われるので、器具本体１１の端部寄り部分に作用する外力に対する緩衝作用を高めることが可能である。
【００５５】
しかも、第６包装部２６の段頂が延びる方向は上下方向であり、この第６包装部２６は、第３包装部２３と第５包装部２５との境をなす折り目の内面と、第１フランジ部分ｆ１の第１部位１１ｆｘで挟まれている。このため、上下方向の積載荷重に対する強度を向上できる。
【００５６】
【発明の効果】本発明によれば、包装材の使用量が少なくて済むので、包装コスト及び廃材処理費用を低減できるとともに、誤った姿勢で積み重ねられようとする場合には、その積み方が誤りであることを容易に認識させて、被包物の強度によって積載荷重を直接的に支持する安定した積載状態を得ることができ、かつ、荷扱い等に伴い第４包装部が大きく開いて包装状態が損なわれることを第５包装部によって抑制可能であるので、包装状態が損なわれ難い包装体を提供できる。
【００５７】
又、第６包装部を有した包装材を備えた発明によれば、第６包装部によって、被包物の包装状態を安定させ易く、外力に対する緩衝作用を向上可能な包装体を提供できる。
【図面の簡単な説明】
【図１】本発明の一実施形態に係る包装体の被包物の一例である埋め込み型照明器具を示す断面図。
【図２】本発明の一実施形態に係る包装体を示す斜視図。
【図３】（Ａ）は図２の包装体の一端部を示す平面図。（Ｂ）は図３（Ａ）中Ｚ−Ｚ線に沿う断面図。（Ｃ）は図３（Ａ）中Ｙ−Ｙ線に沿う断面図。
【図４】図２の包装体を分解して示す斜視図。
【図５】図２の包装体の一端部を組立て途中の状態で示す斜視図。
【図６】（Ａ）は図２の包装体が適正な姿勢で積み重ねられた状態を示す図。（Ｂ）は図２の包装体が不適正な姿勢で積み重ねられた状態を示す図。
【符号の説明】
１…包装体、２…照明器具（被包物）、３…包装材、４…粘着テープ（結合部材）、１１…器具本体、１１ａ…器具本体の側壁、１１ｂ…器具本体の端壁、１１ｃ…器具本体の上壁（閉鎖壁）、１１ｄ…器具本体のフランジ、ｆ１…第１フランジ部分、ｆ２…第２フランジ部分、２１…第１包装部、２２…第２包装部、２３…第３包装部、２３ａ…第３包装部の両側縁、２４…第４包装部、２５…第５包装部、２６…第６包装部
【図１】
2004359264.tif 000003
【図２】
2004359264.tif 000004
【図３】
2004359264.tif 000005
【図４】
2004359264.tif 000006
【図５】
2004359264.tif 000007
【図６】
2004359264.tif 000008